(57)【要約】  【課題】室内機と室外機とで構成される空気調和機において、室内機側の電源を完全に遮断できると共に、室内機の電源を遮断中であってもリモコンからの信号を受け付けて室内機を再起動できる空気調和機を提供する。  【解決手段】室内機は、リモコンからの送出される起動信号を検出する起動用フォトアンプ３４と、電源ラインＮと通信線７に接続され、起動用フォトアンプ３４へ電源を供給する起動用電源部３３とを備え、室外機２は室内機３への電源ラインＬを開閉するパワーリレー１５と、通信線７と電源ラインＬとを介して交流電源１へ還流する起動用フォトアンプ３４の負荷電流を検出するフォトカプラ１３とを備え、室外機２は、パワーリレー１５で室内機３への電源を遮断している時に、フォトカプラ１３を介して監視している負荷電流が所定の値以上になったとき、パワーリレー１５を閉にする。【選択図】図１
2012247169.tif 000002
【特許請求の範囲】
【請求項１】
交流電源に接続される室外機と、同室外機を経由して２本の電源ラインを介して前記交流電源が供給されると共に、前記室外機と通信を行う１本の通信線が接続された室内機と、同室内機に運転指示を与えるリモコンとを備えた空気調和機であって、
前記室内機は、前記リモコンから送出される起動信号を検出する起動検出手段と、入力端が前記電源ラインの一方と前記通信線とに接続され前記起動検出手段へ直流電源を供給する起動用電源部とを備え、
前記室外機は前記室内機に接続された前記電源ラインの他方を開閉するスイッチ手段と、同スイッチ手段が開の時に前記通信線と前記電源ラインの他方とを介して前記交流電源へ還流する前記起動検出手段の負荷電流を検出する負荷電流検出手段とを備え、
前記室外機は、前記スイッチ手段を開にして前記室内機への前記交流電源供給を遮断している時に前記負荷電流検出手段を介して前記起動検出手段の負荷電流を監視し、前記起動信号により前記負荷電流が所定の値以上になったとき、前記スイッチ手段を閉として前記室内機へ前記交流電源を供給することを特徴とする空気調和機。
【請求項２】
前記起動信号は、前記リモコンが赤外線リモコンの場合は同赤外線リモコンから所定時間送出されるバースト信号であり、前記リモコンがワイヤードリモコンの場合は同ワイヤードリモコンに備えられたスイッチの押下によって前記スイッチに流れる前記起動用電源部の短絡電流であることを特徴とする請求項１記載の空気調和機。
【発明の詳細な説明】
【技術分野】
【０００１】
本発明は、室内機と室外機とで構成される空気調和機に係わり、より詳細には、室外機から室内機へ給電する方式における室内機の待機電力を低減する構成に関する。
【背景技術】
【０００２】
従来、室外機から室内機へ給電する方式の空気調和機として、室内機と室外機とが電源線及び通信線で接続され、待機中に室外機の制御用マイコンへの電源供給を遮断して待機電力を低減できるセパレート形空気調和機がある。
【０００３】
この空気調和機では、待機中になって電源が遮断された室外機の制御用マイコンを再起動するため、室内機と室外機との通信を行う通信線に起動用の電源を室内機側から室外機側に印加し、この起動用の電源で室外機の電源を立ち上げるようになっている（例えば、特許文献１参照）。
【０００４】
また、室外機から室内機へ給電する方式の他の空気調和機として、空気調和機の停止中に室内機制御部のＣＰＵ機能を停止させて消費電力を低減する複数の室内機を備えたマルチエアコンがある。
【０００５】
このマルチエアコンは、マイクロコンピュータにより室外機と室内機の間で通信制御される空気調和機であり、室内制御部にリモコンからの停止信号を受信して始動するタイマーを有し、このタイマーが所定時間経過した時、つまり、一定期間の間に新たな運転信号が無い場合に、室内機のマイクロコンピュータのＣＰＵ機能を停止させる。この後、リモコンの始動信号を受信した時に該ＣＰＵ機能を再起動させるようになっている。
【０００６】
さらに、室外制御部に室内機から所定時間内に通信データが来なければ室外制御部のマイクロコンピュータを停止するようにし、一方、停止中に通信データが来れば室外制御部のマイクロコンピュータの再起動を行うようにして低消費電力を図るようにしている（例えば、特許文献２参照。）。
【０００７】
このように室内機や室外機のマイコンなどの一部の回路の電源を遮断して消費電力の低減を図るものは多数存在する。
しかしながら、赤外線リモコンの受信部やワイヤードリモコンは室内機の電源で動作し、また、運転停止中の室内機は赤外線リモコンやワイヤードリモコンの信号を受け付けて再起動する必要があるため、室内機への電源供給を完全に遮断することができなかった。
【先行技術文献】
【特許文献】
【０００８】
【特許文献１】特開２０００−１１１１２３号公報（第５−６頁、図１）
【特許文献２】特開２０００−１７１０７４号公報（第３−４頁、図１）
【発明の概要】
【発明が解決しようとする課題】
【０００９】
本発明は以上述べた問題点を解決し、室内機と室外機とで構成される空気調和機において、室内機側の電源を完全に遮断できると共に、室内機の電源を遮断中であってもリモコンからの信号を受け付けて室内機を再起動できる空気調和機を提供することを目的とする。
【課題を解決するための手段】
【００１０】
本発明は上述の課題を解決するため、交流電源に接続される室外機と、同室外機を経由して２本の電源ラインを介して前記交流電源が供給されると共に、前記室外機と通信を行う１本の通信線が接続された室内機と、同室内機に運転指示を与えるリモコンとを備えた空気調和機であって、
前記室内機は、前記リモコンから送出される起動信号を検出する起動検出手段と、入力端が前記電源ラインの一方と前記通信線とに接続され前記起動検出手段へ直流電源を供給する起動用電源部とを備え、
前記室外機は前記室内機に接続された前記電源ラインの他方を開閉するスイッチ手段と、同スイッチ手段が開の時に前記通信線と前記電源ラインの他方とを介して前記交流電源へ還流する前記起動検出手段の負荷電流を検出する負荷電流検出手段とを備え、
前記室外機は、前記スイッチ手段を開にして前記室内機への前記交流電源供給を遮断している時に前記負荷電流検出手段を介して前記起動検出手段の負荷電流を監視し、前記起動信号により前記負荷電流が所定の値以上になったとき、前記スイッチ手段を閉として前記室内機へ前記交流電源を供給することを特徴とする。
【００１１】
また、前記起動信号は、前記リモコンが赤外線リモコンの場合は同赤外線リモコンから所定時間送出されるバースト信号であり、前記リモコンがワイヤードリモコンの場合は同ワイヤードリモコンに備えられたスイッチの押下によって前記スイッチに流れる前記起動用電源部の短絡電流であることを特徴とする。
【発明の効果】
【００１２】
以上の手段を用いることにより、本発明による空気調和機によれば、請求項１に係わる発明は、室内機の電源が遮断されていても、交流電源の一方の電源ラインと室内機の電源が遮断された場合に必要でない通信線とを用いて、室内機に設けられた起動用電源部から起動検出手段へ電源を供給し、室外機側で通信線に流れる起動検出手段の負荷電流を監視することでリモコンからの起動指示に対応できるため、室内機が待機状態の時に室内機への電源供給を完全に遮断することができる。
【００１３】
請求項２に係わる発明は、赤外線リモコンのバースト信号と起動用電源部の短絡電流とのいずれかを起動信号とし、これらを共通の負荷電流検出手段で検出するため、簡単で安価な回路構成で室内機への電源供給を完全に遮断することができる。
【図面の簡単な説明】
【００１４】
【図１】本発明による空気調和機の実施例を示すマルチエアコンのブロック図である。
【図２】本発明による空気調和機の動作を説明するタイミングチャートである。
【図３】本発明による空気調和機の動作を説明するフローチャートである。
【発明を実施するための形態】
【００１５】
以下、本発明の実施の形態を、添付図面に基づいた実施例として詳細に説明する。
【実施例１】
【００１６】
図１は本発明による空気調和機の実施例を示すマルチエアコンのブロック図である。なお、本発明と直接関係ない冷媒系統については図示と説明を省略している。
本発明の特徴は室外機から室内機へ給電する方式において、待機時に室内機の電源供給を遮断することにある。このため、赤外線リモコンからの赤外線信号、または、ワイヤードリモコンからの起動信号を検出する起動検出手段が室内機に備えられており、この起動検出手段で検出した起動信号を待機時には使用しない通信線を介して室内機から室外機へ出力し、室外機でこれを検知して室内機へ電源を供給する構成が特徴である。
【００１７】
このマルチエアコンは、交流電源１が電源ラインＬと電源ラインＮで接続された室外機２と、この室外機２とそれぞれ接続された室内機３と室内機４とを備えている。また、各室内機は赤外線リモコン５やワイヤードリモコン６によって運転指示を受け付けるようになっている。そして室外機２と各室内機３，４とは、電源ラインＬと電源ラインＮで接続され、さらに、通信線７で室内機３と、また、通信線８で室内機４が、それぞれ室外機２と接続されている。
【００１８】
室外機２は、電源ラインＬと電源ラインＮに接続され、室外機２へ常に電源を供給する室外機電源部１０と、各種の制御を行う室外機制御部１１と、室内機３と通信を行う室外機通信部１２と、室内機４と通信を行う室外機通信部１７と、フォトカプラ１３、及びフォトカプラ１６と、通信線７の接続を切り換える室外機切換リレー１４と、室内機３への電源ラインＬを開閉するパワーリレー１５と、通信線８の接続を切り換える室外機切換リレー１９と、室内機４への電源ラインＬを開閉するパワーリレー１８とを備えている。
【００１９】
室内機３に接続された通信線７は室外機切換リレー１４のコモン端子に接続され、室外機切換リレー１４の一方の端子は室外機通信部１２へ、他方の端子はフォトカプラ１３のフォトダイオードのアノード側に、また、フォトダイオードのカソード側は交流電源１に接続された電源ラインＬに、それぞれ接続されている。また、フォトカプラ１３の出力は室外機制御部１１に接続されている。
【００２０】
同様に、室内機４に接続された通信線８は室外機切換リレー１９のコモン端子に接続され、室外機切換リレー１９の一方の端子は室外機通信部１７へ、他方の端子はフォトカプラ１６のフォトダイオードのアノード側に、また、フォトダイオードのカソード側は交流電源１に接続された電源ラインＬに、それぞれ接続されている。また、フォトカプラ１６の出力は室外機制御部１１に接続されている。
【００２１】
室外機制御部１１は室外機切換リレー１４とパワーリレー１５と室外機切換リレー１９とパワーリレー１８における各接点を切り換える信号を出力する。また、室外機制御部１１はフォトカプラ１３とフォトカプラ１６の出力信号を入力し、これらの信号を内部に備えたＡ／Ｄコンバータでデジタル変換し、これらのフォトカプラのフォトダイオードに流れる電流値を監視する。
【００２２】
一方、室内機３は電源ラインＬと電源ラインＮに接続され、直流電圧Ｖｃｃを出力する室内機電源部３０と、室外機２と通信を行う室内機通信部３１と、各種の制御を行う室内機制御部３２と、赤外線リモコンからの赤外信号を入力してリモコン信号を出力する起動用フォトアンプ３４、及び指示用フォトアンプ３５と、起動用フォトアンプ３４に直流電源を供給する起動用電源部３３と、ワイヤードリモコン６を接続する接続端子４３と、通信線７の接続を切り換える室内機切換リレー３６とを備えている。
【００２３】
起動用電源部３３は電源ラインＮからの電圧を入力し、５ボルトで２〜３ミリアンペア程度を出力する非常に小さな電源である。この内部には電源ラインＮの電圧低下用として直列に接続された抵抗３３ａと、この低下した電圧を入力するブリッジダイオード３３ｂと、これから出力される電圧を平滑する平滑コンデンサ３３ｃと、平滑された電圧を安定化する定電圧ダイオード３３ｄが備えられている。なお、後述するように、室内機３が待機状態の場合、起動用電源部３３の電源入力端は常に交流電源１へ接続するようになっている。
【００２４】
この起動用電源部３３の入力の一端は電源ラインＮが、他端は室内機切換リレー３６の一方の切換端子に接続されており、室内機切換リレー３６の他方の切換端子は室内機通信部３１に、また、室内機切換リレー３６のコモン端子は通信線７にそれぞれ接続されている。
【００２５】
なお、室内機切換リレー３６の制御端子は直流電圧Ｖｃｃに接続されており、室内機電源部３０から直流電圧Ｖｃｃが出力された時、通信線７を起動用電源部３３の入力端から室内機通信部３１へ切り換えるようになっている。従って、室内機電源部３０から直流電圧Ｖｃｃが出力されていない時、つまり、室内機３の電源が遮断されている時は、通信線７が起動用電源部３３の入力端に接続され、また、室外機切換リレー１４のコモン端子、つまり、通信線７はフォトカプラ１３のダイオードのアノード側に接続される。この場合、電源ラインＮから起動用電源部３３を通り、起動用フォトアンプ３４を流れた電流が通信線７とフォトカプラ１３を介して交流電源１に接続された電源ラインＬへ還流するループが形成される。
【００２６】
起動用フォトアンプ３４のＶｃｃ端子には起動用電源部３３のプラス側が、また、起動用フォトアンプ３４のＧＮＤ（アース）端子は起動用電源部３３のマイナス側がそれぞれ接続されている。また、起動用フォトアンプ３４のＯＵＴ（受信信号出力）端子とＶｃｃ端子との間には負荷抵抗４１が接続されており、起動用フォトアンプ３４に赤外線リモコンからの赤外信号が入力されると、この信号に対応したパルス信号が起動用フォトアンプ３４のＯＵＴ端子から出力され、これに従って負荷抵抗４１に電流が流れる。
【００２７】
一方、指示用フォトアンプ３５のＶｃｃ端子には室内機電源部３０から出力される直流電圧Ｖｃｃが接続されており、指示用フォトアンプ３５のＯＵＴ（受信信号出力）端子とＶｃｃ端子との間には負荷抵抗４２が接続されており、指示用フォトアンプ３５に赤外線リモコンからの赤外信号が入力されると、この信号に対応したパルス信号が指示用フォトアンプ３５のＯＵＴ端子から出力されて室内機制御部３２へ入力される。なお指示用フォトアンプ３５のＧＮＤ端子はアースに接続されている。
【００２８】
また、起動用電源部３３のプラス側は直列に負荷抵抗４０が接続され、接続端子４３を介してワイヤードリモコン６の電源オンスイッチ６ａの一端に接続されている。そして、電源オンスイッチ６ａの他端は接続端子４３を介して起動用電源部３３のマイナス側に接続されている。従って、電源オンスイッチ６ａをユーザーが押下することにより接点が閉じると、電源ラインＮから起動用電源部３３を通り、電源オンスイッチ６ａを流れた電流が通信線７とフォトカプラ１３を介して交流電源１へ接続された電源ラインＬへ還流するループが形成される。
【００２９】
このように電源オンスイッチ６ａをユーザーが押下する、または、起動用フォトアンプ３４に赤外線リモコンからの赤外信号が入力されると、フォトカプラ１３のフォトダイオードに電流が流れ、フォトカプラ１３の出力側から、この電流に対応して電圧が出力される。つまり、このフォトカプラ１３の出力側の電圧を監視することで赤外線リモコン５、または、ワイヤードリモコン６で指示された室内機３の『運転開始』を室外機制御部１１で検知することができる。
【００３０】
従って、室内機３へ供給される交流電源１の電源ラインＬがパワーリレー１５で切断されていたとしても、室外機切換リレー１４によって通信線７がフォトカプラ１３側に接続されていれば室内機３の『運転開始』の指示を室外機２で検知することがでる。そして、パワーリレー１５をオンにして室内機３を起動し、さらに室外機切換リレー１４を切り換えて通信線７を室外機通信部１２へ接続することで、室外機２と室内機３とで空調運転を開始することができる。なお、前述したように室内機３を『運転開始』にするためにはフォトカプラ１３で検出する負荷電流を増加させればよいため、少なくとも赤外線リモコン５、または、ワイヤードリモコン６のいずれか一方が備えられていればよい。
【００３１】
なお、室内機３に備えられた起動用電源部３３により動作する起動用フォトアンプ３４、又は、起動用電源部３３に接続された負荷抵抗４０をオンオフするワイヤードリモコン６の電源オンスイッチ６ａが起動検出手段である。また、パワーリレー１５、及びパワーリレー１８がスイッチ手段である。また、室外機切換リレー１４と室内機切換リレー３６とが切り離し手段である。
【００３２】
なお、室内機制御部３２とワイヤードリモコン６とは双方向の通信線で接続されており、赤外線リモコン５で指示できる内容と同じ内容をワイヤードリモコン６からも指示することができる。また、ワイヤードリモコン６で前回の運転内容を保存しておき、室内機３が起動したときに運転指示信号を出力する。また、これに限らず、前回の運転内容を室内機制御部３２で記憶しておき、室内機の起動時に所定時間の間に赤外線リモコン５からのリモコン信号が来ない場合、記憶していた前回の運転内容で運転を開始してもよい。なお、室内機４については室内機３と同じ構成、及び動作であるため、構成と動作の説明を省略する。
【００３３】
図２は本発明による空気調和機の動作を説明するタイミングチャートである。図２（１）は赤外線リモコン５から出力される赤外線信号、図２（２）はフォトカプラ１３から出力される負荷電流と対応する電圧、図２（３）はパワーリレー１５の状態、図２（４）は室外機切換リレー１４の状態、図２（５）は室内機電源部３０の出力電圧の状態、図２（６）は室内機切換リレー３６の状態、図２（７）は室内機制御部３２の状態、図２（８）は赤外線リモコン５の『運転開始』指示と択一的に指示されるワイヤードリモコン６の『運転開始』指示（電源オンスイッチの状態）、図２（９）はワイヤードリモコン６のリモコン信号をそれぞれ示している。
【００３４】
説明開始の条件として室内機３のパワーリレー１５がオフ、室外機切換リレー１５がフォトカプラ１３側に、室内機切換リレー３６が起動用電源部３３側にそれぞれなっているものとし、室内機３の制御について説明する。この状態では起動用フォトアンプ３４に起動用電源部３３から電源が供給されている状態であるが、赤外線リモコン５からの赤外線信号が来ない場合は、負荷としては軽いため、図２（２）の負荷電流のタイムチャートに示すように、起動用フォトアンプ３４の起動電流は小さい状態である。なお、負荷電流が小さいか大きいかは予め定めた負荷電流閾値を越えるか否かで室外機制御部１１が判断する。
【００３５】
赤外線リモコン５から赤外線信号である起動用バースト信号（起動信号）が来た場合は、起動用フォトアンプ３４の負荷電流が増加し、室外機制御部１１が負荷電流閾値を越えたと判断した時、室外機制御部１１はパワーリレー１５をオンにする。この結果、室内機３に交流電源１が供給されて室内機電源部３０から直流電圧Ｖｃｃが出力される。このため、室内機切換リレー３６は通信線７を室内機通信部３１側へ切り換える。一方、室外機制御部１１は室内機制御部３２が動作開始するまでに室外機切換リレー１４を駆動して通信線７を室外機通信部１２側へ切り換える。
【００３６】
室内機電源部３０から直流電圧Ｖｃｃが出力されると、所定のリセット時間の経過の後、室内機制御部３２が停止状態から起動状態になる。そして室内機制御部３２は指示用フォトアンプ３５の信号を監視し、赤外線リモコン５からの運転開始信号を待つ。赤外線リモコンから運転開始信号が来た場合は、受信した信号のデコードを開始し、デコードした指示に従って空調運転を開始する。
【００３７】
なお、赤外線信号の起動用バースト信号はリーダー信号と同じものであり、違いはその長さだけである。起動用バースト信号の長さは、少なくとも室外機制御部１１で負荷電流閾値の判定ができるまで必要である。また、起動用バースト信号の開始からリモコン信号の開始までの時間は、少なくとも室内機制御部３２の起動が開始されるまで必要である。
【００３８】
次に赤外線リモコン５でなくワイヤードリモコン６から室内機３を起動させる場合について説明する。この場合、赤外線リモコン５の赤外線による起動信号に代替して、ワイヤードリモコン６の電源オンスイッチ６ａに流れる短絡電流を起動信号とする点が異なる。
【００３９】
ワイヤードリモコン６の電源オンスイッチ６ａが押下されると、負荷抵抗４０を介して起動用電源部３３に短絡電流（起動信号）が流れる。この短絡電流によりフォトカプラ１３内のフォトダイオードの電流が増加する。これをフォトカプラ１３の出力電圧の変化で検出した室外機制御部１１はパワーリレー１５をオンして室内機３を起動する。これにより起動した室内機制御部３２はワイヤードリモコン６から運転開始信号を待つ。ワイヤードリモコン６から運転開始信号が来れば、この信号に従って空調運転を開始する。
【００４０】
以上説明したように、室内機３の電源が遮断されていても、交流電源１の一方の電源ラインと室内機３の電源が遮断された場合に必要でない通信線７とを用いて、室内機３に設けられた起動用電源部３３から起動検出手段（起動用フォトアンプ３４、又はワイヤードリモコン６の電源オンスイッチ６ａ）へ電源を供給し、室外機２側で通信線７に流れる起動検出手段の負荷電流をフォトカプラ１３で監視することで２種類のリモコンからの起動指示に対応できるため、室内機３が待機状態の時に室内機３への電源供給を完全に遮断することができる。
【００４１】
また、赤外線リモコン５のバースト信号と起動用電源部３３の短絡電流とのいずれかを起動信号とし、これらを共通の負荷電流検出手段（フォトカプラ１３）で検出するため、簡単で安価な回路構成で室内機への電源供給を完全に遮断することができる。
なお、本発明は室内機３が待機状態の時に室内機３の電源を完全に遮断するため、室内機３を複数備えたマルチエアコンの場合、室内機３の台数に比例して待機電力削減の効果が大きくなる
【００４２】
次に、室外機２及び室内機３の処理を図３に示す（１）室外機制御部の処理、及び（２）室内機制御部の処理の各フローチャートを用いて説明する。図３に記載のＳＴはステップを表し、これに続く数字はステップ番号を、また、ＹはＹｅｓを、ＮはＮｏをそれぞれ表している。なお、室外機電源部１０には常に交流電源１が供給されているため、室外機２は常に動作状態である。
【００４３】
図３（１）室外機制御部の処理において室外機制御部１１は、まず最初に室内機３又は室内機４からの指示に関する通信が有るか確認する（ＳＴ１）。室内機３又は室内機４からの指示に関する通信が無い場合（ＳＴ１−Ｎ）、フォトカプラ１３又はフォトカプラ１６のいずれかで検出した負荷電流が負荷電流閾値よりも大きいか確認する（ＳＴ２）。
【００４４】
フォトカプラ１３又はフォトカプラ１６のいずれかで検出した負荷電流が負荷電流閾値よりも大きい場合（ＳＴ２−Ｙ）、検出した大きい負荷電流の室内機と対応するパワーリレーをオンすると共に、同様に対応する室外機切換リレーを室外機通信部側へ切り換える（ＳＴ３）。そしてＳＴ１へジャンプする。
【００４５】
また、フォトカプラ１３又はフォトカプラ１６のいずれかで検出した負荷電流が負荷電流閾値よりも小さい場合（ＳＴ２−Ｎ）、各室内機の現状の状態、つまり、待機状態、又は運転状態を維持する（ＳＴ７）。そしてＳＴ１へジャンプする。
【００４６】
一方、室内機３又は室内機４からの指示に関する通信が有る場合（ＳＴ１−Ｙ）、指示通信の内容は運転停止指示か確認する（ＳＴ４）。指示通信の内容が運転停止指示でない場合（ＳＴ４−Ｎ）、指示された運転内容に従って運転を実行する（ＳＴ５）。そしてＳＴ１へジャンプする。
【００４７】
指示通信の内容が運転停止指示の場合（ＳＴ４−Ｙ）、指示を送信した該当室内機用のパワーリレーをオフし、該当室内機用の室外機切換リレーをフォトカプラ側へ切り換える（ＳＴ６）。そしてＳＴ１へジャンプする。
【００４８】
次に図３（２）室内機制御部の処理において室内機制御部３２は、まず最初に、赤外線リモコン５又はワイヤードリモコン６からの運転開始信号があるか確認する（ＳＴ１１）。赤外線リモコン５又はワイヤードリモコン６からの運転開始信号が無い場合（ＳＴ１１−Ｎ）、ＳＴ１１へジャンプする。赤外線リモコン５又はワイヤードリモコン６からの運転開始信号が有る場合（ＳＴ１１−Ｙ）、赤外線リモコン５又はワイヤードリモコン６のいずれかから来た運転開始信号に従って運転を開始する（ＳＴ１２）。
【００４９】
次に赤外線リモコン５又はワイヤードリモコン６からの運転停止信号があるか確認する（ＳＴ１３）。赤外線リモコン５又はワイヤードリモコン６からの運転停止信号が無い場合（ＳＴ１３−Ｎ）、赤外線リモコン５又はワイヤードリモコン６からの運転停止信号以外の運転信号の内容に従って運転する（ＳＴ１６）。そしてＳＴ１３へジャンプする。
【００５０】
一方、赤外線リモコン５又はワイヤードリモコン６からの運転停止信号が有る場合（ＳＴ１３−Ｙ）、室内機の運転を停止し（ＳＴ１４）、室外機２へ運転停止指示を送信する（ＳＴ１５）。そして、処理を停止する。
【００５１】
本実施例では、室外機２側は常に交流電源１が供給され、室外機制御部１１が常に動作している場合を説明したが、これに限るものでなく、全ての室内機の電源供給を遮断した場合、室外機制御部１１内の図示しないマイクロコンピュータを停止するようにし、一方、停止中にフォトカプラ１３、又はフォトカプラ１６の負荷電流が増加した場合、室外機制御部１１のマイクロコンピュータの再起動を行うようにして低消費電力を図るようにしてもよい。この場合、コンパレータで負荷電流と基準電圧値からなる負荷電流閾値を比較し、負荷電流が負荷電流閾値を越えた時にマイクロコンピュータに再起動の割り込み信号を出力するようにするとよい。
このようにすることで、さらに室外機２も低消費電力化を図ることができる。
【００５２】
また、本実施例では赤外線リモコンのリモコン信号の送出に先立って起動用バースト信号を送出しているが、これに限るものでなく、指示用フォトアンプ３５の負荷電流が増加するものならどのような信号でもよく、例えば運転開始信号を繰り返し送信するようにしてもよい。
また、本実施例では起動用フォトアンプ３４と指示用フォトアンプ３５とを専用の部品で構成しているがこれに限るものでなく、２つのフォトアンプを共通化して用いてもよい。
さらに、本実施例では室外機切換リレー１４と室内機切換リレー３６とを用いているが、これに限るものでなく、フォトカプラ１３と室外機通信部１２と室内機通信部３１とをすべて接続し、負荷電流に室内機３室外機２との通信信号を重畳させるようにしてもよい。これにより、室外機切換リレー１４と室内機切換リレー３６を使用せずコストダウンを図ることができる。
【符号の説明】
【００５３】
１  交流電源
２  室外機
３  室内機
４  室内機
５  赤外線リモコン
６  ワイヤードリモコン
６ａ  電源オンスイッチ
７  通信線
８  通信線
１０  室外機電源部
１１  室外機制御部
１２  室外機通信部
１３  フォトカプラ
１４  室外機切換リレー
１５  パワーリレー
１６  フォトカプラ
１７  室外機通信部
１８  パワーリレー
１９  室外機切換リレー
３０  室内機電源部
３１  室内機通信部
３２  室内機制御部
３３  起動用電源部
３３ａ  抵抗
３３ｂ  ブリッジダイオード
３３ｃ  平滑コンデンサ
３３ｄ  定電圧ダイオード
３４  起動用フォトアンプ
３５  指示用フォトアンプ
３６  室内機切換リレー
４０  負荷抵抗
４１  負荷抵抗
４２  負荷抵抗
４３  接続端子
【図１】
2012247169.tif 000003
【図２】
2012247169.tif 000004
【図３】
2012247169.tif 000005